(57)【要約】      （修正有）【課題】玩具品や置物品として利用可能な形態と、衣装品として利用可能な形態を得ることを可能にし、絞り製品としての活用範囲を広げるようにした複合絞り繊維製品を提供する。【解決手段】動物、キャラクターその他の立体形状を模すために、複数に区分されたそれぞれの立体形成部を備える繊維布素地と、その繊維布素材の各立体形成部にそれぞれ絞り緊縮処理により立体形状に対応する複数の立体模擬部を創生する絞り糸構造と、それら複数の立体模擬部の統合による立体的絞り緊縮繊維品に対して施された絞り染色部と、を含む。絞り糸構造の除去により立体的絞り緊縮繊維品が開放されて、絞り緊縮処理による絞り模様を有する平面的展開繊維品に変化し、その平面的展開繊維品として使用可能である。【選択図】図１
0003159666.tif 000002
【実用新案登録請求の範囲】
【請求項１】
動物、キャラクターその他の立体形状を模すために、複数に区分されたそれぞれの立体形成部を備える繊維布素地と、
その繊維布素地の各立体形成部にそれぞれ絞り緊縮処理により前記立体形状に対応する複数の立体模擬部を創生する絞り糸構造と、
それら複数の立体模擬部の統合による立体的絞り緊縮繊維品に対して施された絞り染色部と、を含み、
その絞り染色部を有する前記立体的絞り緊縮繊維品としての使用の他、前記絞り糸構造の除去により前記立体的絞り緊縮繊維品が開放されて、前記絞り緊縮処理による絞り模様を有するショール、ストール、スカーフ、マフラー、ハンカチ、タオルその他の平面的展開繊維品に変化し、その平面的展開繊維品として使用可能であることを特徴とする複合絞り繊維製品。
【請求項２】
動物、キャラクターその他の立体形状を模すために、複数に区分されたそれぞれの立体形成部を備える繊維布素地と、
その繊維布素地の各立体形成部のうち本体模擬部には多数の細絞り処理、その本体模擬部から突出する突出模擬部には、その突出模擬部の周囲を巻回する巻回大絞り処理による絞り緊縮処理によって前記立体形状の各構成部分に対応する複数の立体模擬部を創生する絞り糸構造と、
それら複数の立体模擬部の統合による立体的絞り緊縮繊維品に対して施された絞り染色部と、を含み、
その絞り染色部を有する前記立体的絞り緊縮繊維品としての使用の他、前記絞り糸構造の除去により前記立体的絞り緊縮繊維品が開放されて、前記細絞り処理及び巻回大絞り処理を含む、絞り緊縮処理による絞り模様を有するショール、ストール、スカーフ、マフラー、ハンカチ、タオルその他の平面的展開繊維品に変化し、その平面的展開繊維品として使用可能であることを特徴とする複合絞り繊維製品。
【請求項３】
動物を模した立体状の模擬動物体における複数の立体模擬部としての耳部を含む頭部、首部、胴部、四肢部、尾部に対応した各領域としての立体形成部である耳部領域、頭部領域、首部領域、胴部領域、四肢部領域、尾部領域が区分された繊維布素地と、
その繊維布素地の各立体形成部にそれぞれ絞り緊縮処理により前記立体形状に対応する複数の立体模擬部を創生する絞り糸構造と、
それら複数の立体模擬部の統合による立体的絞り緊縮繊維品に対して施された絞り染色部と、を含み、
その絞り染色部を有する前記立体的絞り緊縮繊維品としての使用の他、前記絞り糸構造の除去により前記立体的絞り緊縮繊維品が開放されて、前記絞り緊縮処理による絞り模様を有するショール、ストール、スカーフ、マフラー、ハンカチ、タオルその他の平面的展開繊維品に変化し、その平面的展開繊維品として使用可能であることを特徴とする複合絞り繊維製品。
【請求項４】
前記繊維布素地の素地長さ方向の一方側と他方側において、その繊維布素地の素地幅方向の両角側に、該両角側から前記素地幅方向の内側を絞り緊縮処理の絞り基端部位とした前記四肢部領域に絞り糸構造としての根巻絞りを施した前記四肢部と、
前記繊維布素地の前記一方側と前記他方側の前記四肢部の間における前記素地幅方向の中央付近において、前記他方側の前記四肢部に近い側を絞り緊縮処理の絞り基端部位とした前記尾部領域に絞り糸構造としての根巻絞りを施した前記尾部と、
前記繊維布素地の前記一方側と前記他方側の前記四肢部の間における前記素地幅方向の中央付近において、前記素地幅方向の両側から当該素地幅方向の内側を絞り緊縮処理の絞り基端部位とした前記耳部領域に絞り糸構造としての根本絞りを施した前記耳部と、
前記繊維布素地の両側の前記耳部を結ぶ線を山折り線となし、該山折り線で山折りされた状態で、当該山折り線から前記素地長さ方向に所定寸法をもって離れた重ね合せ位置において、前記素地幅方向に連続する所定幅の前記首部領域に絞り糸構造としての根本絞りを施した前記首部と、
前記繊維布素地の各領域以外の残余の領域に複数の粒状体が表れるように絞り糸構造としての絞りを施した前記胴部及び前記頭部と、
を備えることを特徴とする請求項３に記載の複合絞り繊維製品。
【請求項５】
前記繊維布素地の素地長さ方向で二つ折りにして重ね合わせた折り素地の折り側において、その折り素地の素地幅方向の両角側に、該両角側から前記素地幅方向の内側を前記絞り緊縮処理の絞り基端部位とした前記耳部領域に根本絞りを施した前記耳部と、
前記折り素地の折り側から前記素地長さ方向に所定寸法をもって離れた位置において、絞り糸構造としての一本絞りを施した括れ状の前記首部と、
該首部によって当該首部から前記折り素地の折り側に形成される前記頭部と、
前記折り素地の素地長さ方向の前記折り側と反対の反折り側の前記素地幅方向の両角側に、該両角側から前記素地幅方向の内側を前記絞り緊縮処理の絞り基端部位とした前記四肢部領域に絞り糸構造としての根巻絞りを施した前記四肢部としての後脚部と、
前記折り素地の前記一本絞り個所との近接側において、前記折り素地の前記素地幅方向の両側から当該素地幅方向の内側を前記絞り緊縮処理の絞り基端部位とした前記四肢部領域に根巻絞りを施した前記四肢部としての前脚部と、
前記折り素地の前記四肢部としての後脚部に近い側を前記絞り緊縮処理の絞り基端部位とした前記尾部領域に絞り糸構造としての根巻絞りを施した前記尾部と、
前記折り素地の各領域以外の残余の領域に複数の粒状体が表れるように絞り糸構造としての絞りを施した前記胴部及び前記頭部と、
を備えることを特徴とする請求項３に記載の複合絞り繊維製品。
【請求項６】
前記四肢部に施した根巻き絞りは、当該四肢部の先端側付近を未絞り状態としたことを特徴とする請求項４又は５に記載の複合絞り繊維製品。
【考案の詳細な説明】
【技術分野】
【０００１】
本考案は、立体状の模擬体を、展開状の繊維製品に形態変化させられる複合絞り繊維製品に関する。
【背景技術】
【０００２】
従来、絞り製品の利用形態としては、各種絞り加工における装飾性などの特徴を生かし、その装飾性を備えさせた各種衣装が知られている。その一例として絞り加工の伸縮性を利用して商品価値を高めるようにした縮み衣服が提案されている（特許文献１参照）。
【先行技術文献】
【特許文献】
【０００３】
【特許文献１】特開２０００―８０５０２号公報
【０００４】
しかし、このような利用の仕方では、絞り製品の一面的な活用にしか過ぎないのが現状であって、さらなる活用の仕方が求められている。
【考案の概要】
【考案が解決しようとする課題】
【０００５】
本考案の課題は、玩具品や置物品として利用可能な形態と、衣装品として利用可能な形態を得ることを可能にし、絞り製品としての活用範囲を広げるようにした複合絞り繊維製品を提供することにある。
【課題を解決するための手段】
【０００６】
上記課題を解決するために、本考案の複合絞り繊維製品は、動物、キャラクターその他の立体形状を模すために、複数に区分されたそれぞれの立体形成部を備える繊維布素地と、その繊維布素地の各立体形成部にそれぞれ絞り緊縮処理により前記立体形状に対応する複数の立体模擬部を創生する絞り糸構造と、それら複数の立体模擬部の統合による立体的絞り緊縮繊維品に対して施された絞り染色部と、を含み、その絞り染色部を有する前記立体的絞り緊縮繊維品としての使用の他、前記絞り糸構造の除去により前記立体的絞り緊縮繊維品が開放されて、前記絞り緊縮処理による絞り模様を有するショール、ストール、スカーフ、マフラー、ハンカチ、タオルその他の平面的展開繊維品に変化し、その平面的展開繊維品として使用可能であることを特徴とする。
【０００７】
上記構成とすることにより、立体的絞り緊縮繊維品は、動物、キャラクターその他の立体形状を模すように立体模擬部が創生されることによって、立体的な玩具品や置物品として利用できる。また、玩具品や置物品として利用した後は、絞り糸構造を除去することにより平面的展開繊維品に変化させて利用できる。このように立体状の模擬体を展開状の繊維製品に形態変化させられるため、絞り加工品としての活用範囲を広げることができる複合絞り繊維品が提供できる。しかも、模擬体から展開状の繊維製品に形態変化させる絞り糸構造の除去（糸抜き）を、その後に表れる絞り模様を期待しつつ、楽しみながら行うことができる。
【０００８】
上記課題を解決するために、本考案の複合絞り繊維製品は、動物、キャラクターその他の立体形状を模すために、複数に区分されたそれぞれの立体形成部を備える繊維布素地と、その繊維布素地の各立体形成部のうち本体模擬部には多数の細絞り処理、その本体模擬部から突出する突出模擬部には、その突出模擬部の周囲を巻回する巻回大絞り処理による絞り緊縮処理によって前記立体形状の各構成部分に対応する複数の立体模擬部を創生する絞り糸構造と、それら複数の立体模擬部の統合による立体的絞り緊縮繊維品に対して施された絞り染色部と、を含み、その絞り染色部を有する前記立体的絞り緊縮繊維品としての使用の他、前記絞り糸構造の除去により前記立体的絞り緊縮繊維品が開放されて、前記細絞り処理及び巻回大絞り処理を含む絞り緊縮処理による絞り模様を有するショール、ストール、スカーフ、マフラー、ハンカチ、タオルその他の平面的展開繊維品に変化し、その平面的展開繊維品として使用可能であることを特徴とすることにより、上記効果に加え、本体模擬部が細絞り処理で、突出模擬部が巻回大絞り処理によって創生されるため、平面的展開繊維製品となした際、その複数の処理による異なった絞り模様が複数表れることにより、衣装品としてデザイン性に富んだ繊維製品を提供できる。
【０００９】
また、上記課題を解決するために、本考案の複合絞り繊維製品は、動物を模した立体状の模擬動物体における複数の立体模擬部としての耳部を含む頭部、首部、胴部、四肢部、尾部に対応した各領域としての立体形成部である耳部領域、頭部領域、首部領域、胴部領域、四肢部領域、尾部領域が区分された繊維布素地と、その繊維布素地の各立体形成部にそれぞれ絞り緊縮処理により前記立体形状に対応する複数の立体模擬部を創生する絞り糸構造と、それら複数の立体模擬部の統合による立体的絞り緊縮繊維品に対して施された絞り染色部と、を含み、その絞り染色部を有する前記立体的絞り緊縮繊維品としての使用の他、前記絞り糸構造の除去により前記立体的絞り緊縮繊維品が開放されて、前記絞り緊縮処理による絞り模様を有するショール、ストール、スカーフ、マフラー、ハンカチ、タオルその他の平面的展開繊維品に変化し、その平面的展開繊維品として使用可能であることを特徴とすることにより、頭部、首部、胴部、四肢部、尾部などを備える、所謂ぬいぐるみ様の模擬動物体と、この模擬動物体とは全くその形態が異なる絞り加工における本来の立体模様が散在した展開された繊維製品の二種に形態変化させられる複合絞り繊維製品を提供できる。
【００１０】
また、上記課題を解決するために、本考案の複合絞り繊維製品は、前記繊維布素地の素地長さ方向の一方側と他方側において、その繊維布素地の素地幅方向の両角側に、該両角側から前記素地幅方向の内側を絞り緊縮処理の絞り基端部位とした前記四肢部領域に絞り糸構造としての根巻絞りを施した前記四肢部と、前記繊維布素地の前記一方側と前記他方側の前記四肢部の間における前記素地幅方向の中央付近において、前記他方側の前記四肢部に近い側を絞り緊縮処理の絞り基端部位とした前記尾部領域に絞り糸構造としての根巻絞りを施した前記尾部と、前記繊維布素地の前記一方側と前記他方側の前記四肢部の間における前記素地幅方向の中央付近において、前記素地幅方向の両側から当該素地幅方向の内側を絞り緊縮処理の絞り基端部位とした前記耳部領域に絞り糸構造としての根本絞りを施した前記耳部と、前記繊維布素地の両側の前記耳部を結ぶ線を山折り線となし、該山折り線で山折りされた状態で、当該山折り線から前記素地長さ方向に所定寸法をもって離れた、重ね合せ位置において、前記素地幅方向に連続する所定幅の前記首部領域に絞り糸構造としての根本絞りを施した前記首部と、前記繊維布素地における各領域以外の残余の領域に複数の粒状体が表れるように絞り糸構造としての絞りを施した前記胴部及び前記頭部と、を備えることを特徴とすることにより、上記効果に加え、色付個所と未色個所とが散在したシワ模様を有する立体状の根巻絞りによるツノ状装飾部および根本絞りによる袋状装飾部や、主に縦ヒダで形成される縦ヒダ装飾部、さらに複数の粒状体による絞り模様を呈する形態となる展開状の繊維製品が得られることにより、衣装品としても他に類をみない特徴を有する展開状の繊維製品が提供できる。
【００１１】
また、上記課題を解決するために、本考案の複合絞り繊維製品は、前記繊維布素地の素地長さ方向で二つ折りにして重ね合わせた折り素地の折り側において、その折り素地の素地幅方向の両角側に、該両角側から前記素地幅方向の内側を前記絞り緊縮処理の絞り基端部位とした前記耳部領域に絞り糸構造としての根本絞りを施した前記耳部と、前記折り素地の折り側から前記素地長さ方向に所定寸法をもって離れた位置において、絞り糸構造としての一本絞りを施した括れ状の前記首部と、該首部によって当該首部から前記折り素地の折り側に形成される前記頭部と、前記折り素地の素地長さ方向の前記折り側と反対の反折り側の前記素地幅方向の両角側に、該両角側から前記素地幅方向の内側を前記絞り緊縮処理の絞り基端部位とした前記四肢部領域に絞り糸構造としての根巻絞りを施した前記四肢部としての後脚部と、前記折り素地の前記一本絞り個所との近接側において、前記折り素地の前記素地幅方向の両側から当該素地幅方向の内側を前記絞り緊縮処理の絞り基端部位とした前記四肢部領域に絞り糸構造としての根巻絞りを施した前記四肢部としての前脚部と、前記折り素地の前記四肢部としての後脚部に近い側を前記絞り緊縮処理の絞り基端部位とした前記尾部領域に絞り糸構造としての根巻絞りを施した前記尾部と、前記折り素地における各領域以外の残余の領域に複数の粒状体が表れるように絞り糸構造としての絞りを施した前記胴部及び前記頭部と、を備えることを特徴とすることにより、上記効果に加え、模擬動物体としての胴部は、繊維布素地を二つ折りにしているため、その表側である胸及び裏側である背中にも複数の粒状体による絞り模様が表れるので、実際の動物の形態により一層近づく、ぬいぐるみ様を呈する繊維製品が得られる。
【００１２】
また、上記課題を解決するために、本考案の複合絞り繊維製品において、前記四肢部に施す根巻き絞りは、当該四肢部の先端側付近を未絞り状態としたことを特徴とすることにより、四肢部として脚部の先端側に脚先部を立体状に形成でき、擬似動物体の形態の細部をより一層、実際の動物の形態に近づけることが可能となる。
【図面の簡単な説明】
【００１３】
【図１】本考案に係る複合絞り繊維製品の形態変化の模式図。
【図２】複合絞り繊維製品を製作するための繊維布素地の展開状態を示す図。
【図３】繊維布素地を使用した絞り工程の一部を示す図。
【図４】図３の絞り工程に続く絞り工程の一部を示す図。
【図５】括り糸を糸抜きして展開した繊維製品を示す模式図。
【図６】複合絞り繊維製品の他の形態における形態変化の模式図。
【図７】複合絞り繊維製品を製作するための繊維布素地の展開状態と折りたたみ状態を示す図。
【図８】二つ折りされた繊維布素地を一方面側から見た絞り工程の一部を示す図。
【図９】図８とは反対側から見た絞り工程の一部を示す図。
【図１０】複合絞り繊維製品としての模擬動物体の模式図。
【図１１】括り糸を糸抜きして展開した繊維製品を示す模式図。
【考案を実施するための形態】
【００１４】
以下、図面を参照しながら考案の実施の形態について説明する。図１は、本考案に係る複合絞り繊維製品の形態変化の立体模式図である。図２は複合絞り繊維製品を製作するための繊維布素地の展開図である。
【００１５】
図１に示す複合絞り繊維製品としての立体的絞り緊縮繊維品は、動物、キャラクターその他の立体形状を模すものであり、本例の立体的絞り緊縮繊維品では模擬動物体１として、人を含む動物を模したものである。この模擬動物体１は動物体の区分で、内部に脳を有し、外部に目、鼻、耳部２ａなどの感覚器や口のある部分としての頭部２と、首部３、胴部４、前脚部（手）や後脚部（足）としての四肢部５と、尾部６とを備えたものとして「犬」を模したものである。
【００１６】
なお、「犬」以外の動物体としては、愛玩動物として知られている猫、ウサギでもよく、さらには、一般的な「ぬいぐるみ」に利用される小熊、ペンギン、さらに付け加えれば、擬人化された動物としてのミッキーマウス（登録商標）、空想上の動物としての竜、ユニコーン、カッパ、人魚、キャラクターその他などを立体的絞り緊縮繊維品とすることもできる。
【００１７】
この模擬動物体１は図２に示す繊維布素地としての展開素地１０から製作する。この展開素地１０としては、所定幅の原反を使用している。この原反の材質としてウール、絹、木綿などの天然繊維や、化学繊維である再生繊維、半合成繊維、合成繊維などが挙げられる。
【００１８】
この展開素地１０は、模擬動物体１における耳部２ａを含む頭部２、首部３、胴部４、四肢部５、尾部６などの立体模擬部に対応した立体形成部（立体形成予定部）としての耳部領域２０ａ、頭部領域２０、首部領域３０、胴部領域４０、四肢部領域５０、尾部領域６０の各領域に区分けされるように下絵を施したものである。
【００１９】
この展開素地１０の耳部領域２０ａ、頭部領域２０、首部領域３０、胴部領域４０、四肢部領域５０、尾部領域６０の各領域に、絞り糸構造の一部としての糸抜きが予定される括り糸Ｓを用いて絞り加工としての絞り緊縮処理を施すことにより、図１に示す耳部２ａ、頭部２、首部３、胴部４、四肢部５、尾部６などに膨らみを持たせるようにした立体模擬部が絞り糸構造によって創生されることとなる。この絞り糸構造は括り糸Ｓと、それを用いた絞り加工の種類、例えば、後述する三浦絞り、根巻き絞り、根本絞りなどの加工とが組み合わされたものである。
【００２０】
この立体模擬部は本体模擬部と突出模擬部からなり、本体模擬部は頭部２、胴部４を含み、突出模擬部は本体模擬部から突出される首部３、四肢部５、尾部６、耳部２ａを含んでいる。
【００２１】
このように創生された複数の立体模擬部の統合によって仮模擬動物体１ａを形成する。その後、仮模擬動物体１ａを染色することにより素地が染色された状態の絞り染色部を有する模擬動物体１を得ることができる。
【００２２】
この模擬動物体１の具体例としては、図２、図３に示す展開素地１０の素地長さ方向Ｙの一方側Ｙ１と他方側Ｙ２において、その展開素地１０の素地幅方向Ｘの両角側１０ａに、該両角側１０ａから素地幅方向Ｘの内側を絞り基端部位Ｓ１とした四肢部領域５０の領域に絞り糸構造としての根巻絞りを施すことにより突出模擬部としての四肢部５を形成する。
【００２３】
この根巻絞りは、絞り緊縮処理の一例である、生地に対して周囲を括り糸Ｓで巻回するようにした巻回大絞り処理である。
【００２４】
この四肢部５としての脚部５ａを形成するために、両角側の四肢部領域５０は扇状に下絵が絵付けされる。そして、その絞り基端部位Ｓ１としての円弧側を括り糸Ｓで引き締めて根本を巻き、その後、扇の径方向Ｒ１に縦ヒダＨを形成するように扇の周方向Ｒ２に折り畳みながら先端側に向かって巻き上げる（根巻絞り）。この巻き上げの際、四肢部領域５０の素地を径方向Ｒ１の中間個所Ｒ１０で二つ折りした後に、その先端側付近に未絞り状態となるシワ状の袋部５０ａを形成するように巻き上げることにより、巻き上げ個所が四肢部５の一部としての立体状の太さと長さによる膨らみを持った脚部５ａとなり、その先端側に立体状の膨らみを持った脚先部５ａ１が形成されることとなる。
【００２５】
また、図２に示す展開素地１０の一方側Ｙ１と他方側Ｙ２の四肢部５の間における素地幅方向Ｘの中央付近において、他方側Ｙ２の四肢部５に近い側の絞り基端部位Ｓ１としての尾部領域６０に、絞り糸構造としての根巻絞りを施すことにより尾部６を形成する。
【００２６】
この尾部６の尾部領域６０は円形状に下絵が絵付けされる。そして、その絞り基端部位Ｓ１として円側に括り糸Ｓを引き締めて根本を巻き、その後、円の径方向Ｒ１に縦ヒダＨを形成するように円の周方向Ｒ２に折り畳みながら先端側に向かって巻き上げることにより立体状の太さと長さによる膨らみを持った尾部６が形成されることとなる。
【００２７】
また、頭部２の形成としては、図２に示す展開素地１０の一方側Ｙ１と他方側Ｙ２の四肢部５の間における素地幅方向Ｘの中央付近において、この素地幅方向Ｘの両側から当該素地幅方向Ｘの内側を絞り基端部位Ｓ１とした耳部領域２０ａを半円状にして下絵が絵付けされる。そして、この展開素地１０における両側の耳部領域２０ａの中心側を結ぶ線を山折り線Ｘ１となし、図４に示すように、この山折り線Ｘ１で山折りされた状態で、当該山折り線Ｘ１から素地長さ方向Ｙに所定寸法Ｌ１をもって離れた、重ね合せ個所Ｐ１において、素地幅方向Ｘに連続する所定幅Ｗの首部領域３０に絞り糸構造としての根本絞りを施して立体状の太さと長さによる膨らみを持った首部３を形成することにより該首部３に隣接された個所に頭部２が形成されることとなる。
【００２８】
そして、頭部２の一部を構成する耳部２ａとしては、図３、図４に示すように、頭部２が形成された状態で、半円状に絵付けされる耳部領域２０ａが二つ折りされた扇状個所において、この２つ折りされた扇状の耳部領域２０ａを、その扇の径方向Ｒ１でさらに二つ折りした状態で、その絞り基端部位Ｓ１としての円弧側に根本絞りを施すことにより絞り基端部位Ｓ１から立体状の逆三角形状に膨らみを持った耳部２ａが形成されることとなる。
【００２９】
また、図３、図４に示す本体模擬部としての頭部２と胴部４には、各領域としての耳部領域２０ａ、首部領域３０、四肢部領域５０、尾部領域６０以外の残余の領域に複数の粒状体７が表れるように絞り糸構造としての絞りを施す。本例では三浦絞り（多数の細絞り処理）を施して展開素地１０の表面側に立体模様が形成されることにより膨らみを持った胴部４及び頭部２が形成されることとなる。
【００３０】
また、頭部２の一部を構成する口鼻部２ｂを長くしたい動物であれば、図２、図３に示すように、頭部２が形成されるべき頭部領域２０内に円形状の口鼻部領域２０ｂの下絵が絵付けされる。そして、その絞り基端部位Ｓ１としての円側に括り糸Ｓを引き締めて根本を巻き、その後、円の径方向Ｒ１に縦ヒダＨを形成するように円の周方向Ｒ２に折り畳みながら先端側に向かって巻き上げることにより、図４に示す立体状の太さと長さによる膨らみを持った口鼻部２ｂが形成されることとなる。
【００３１】
このように展開素地１０の頭部領域２０、耳部領域２０ａ、口鼻部領域２０ｂ、首部領域３０、胴部領域４０、四肢部領域５０、尾部領域６０の各領域に各絞り加工を施した仮模擬動物体１ａが製作された後に、所定の色によって染色することにより模擬動物体１が得られることとなる。
【００３２】
そして、図１に示すように模擬動物体１を展開状の繊維製品１００としてのショール、ストール、スカーフ、マフラー、ハンカチ、タオル等に形態変化させるには、各絞り加工（絞り緊縮処理）に使用した括り糸Ｓを除去するように糸抜きすることによって可能となる。
【００３３】
このように、括り糸Ｓを糸抜きして展開して開放された平面的展開繊維品としての繊維製品１００は、図５に示すように、口鼻部２ｂ、四肢部５、尾部６の形成個所にあっては、表面に色付個所（絞り染色部）と未色個所が散在した絞り模様を有し、かつ、多数のシワが散在する立体状のツノ状装飾部１０１が形成されることとなる。
【００３４】
また、耳部２ａの形成個所にあっては、全体が色付個所で、多数のシワによって立体状の袋状装飾部１０２が形成されることとなる。また、首部３の形成個所にあっては、表面に色付個所と未色個所が散在した絞り模様を有する立体状の縦ヒダ装飾部１０３が形成されることとなる。また、頭部２、胴部３の形成個所にあっては、色付けされた複数の粒状体７が配される形態となるものである。
【００３５】
次に複合絞り繊維製品の他の実施の形態として、図６に示すように、模擬動物体１として「熊」の立体状の形態を呈する展開状の織物製品１００に形態変化させられるものについて説明する。この例による他の構成について、上記他の実施の形態における構成と同様な構成の説明は一部省略している。
【００３６】
この展開素地１０は、図７に示す模擬動物体１における耳部２ａを含む頭部２、首部３、胴部４、四肢部５、尾部６に対応した耳部領域２０ａ、頭部領域２０、首部領域３０、胴部領域４０、四肢部領域５０、尾部領域６０の各領域に区分けされるように下絵を施したものである。
【００３７】
この展開素地１０の耳部領域２０ａ、頭部領域２０、首部領域３０、胴部領域４０、四肢部領域５０、尾部領域６０の各領域に、糸抜きが予定される括り糸Ｓを用いて絞りを施すことにより、図８〜図１０に示す耳部２ａ、頭部２、首部３、胴部４、四肢部５、尾部６に膨らみ持たせるようにして立体状となした仮模擬動物体１ａを形成する。その後、仮模擬動物体１ａを所定の色によって染色することにより模擬動物体１を得ることができる。
【００３８】
この模擬動物体１の具体例としては、図７に示すように、展開素地１０をその素地長さ方向Ｙで二つ折りして重ね合わせた折り素地１１をもとにして製作している。
【００３９】
この折り素地１１も所定幅の原反を使用している。この原反の材質としてウール、絹、木綿などの天然繊維や、化学繊維である再生繊維、半合成繊維、合成繊維などが挙げられる。
【００４０】
図８、図９において、この折り素地１１の折り側１１ａに、その折り素地１１の素地幅方向Ｘの両角側１１ｂに、該両角側１１ｂから素地幅方向Ｘの内側を絞り基端部位Ｓ１とした耳部領域２０ａに絞り糸構造としての根本絞りを施すことにより頭部２の一部を構成する耳部２ａを形成する。
【００４１】
この耳部２ａは、頭部２が形成された状態で、半円状に絵付けされる耳部領域２０ａが二つ折りされた扇状個所において、この２つ折りされた扇状個所の耳部領域２０ａを、その扇の径方向Ｒ１の中間個所Ｒ１０でさらに二つ折りした状態で、その絞り基端部位Ｓ１に根本絞りを施すことにより当該絞り基端部位Ｓ１から立体状の逆三角形状に膨らみを持った耳部２ａが形成されることとなる。
【００４２】
また、折り素地１１の折り側１１ａから素地長さ方向Ｙに所定寸法Ｌ１をもって離れた位置において、絞り糸構造としての一本絞りを施すことにより括れ状の首部３が形成されることとなる。
【００４３】
そして、この首部３が形成されることによって当該首部３から折り素地１１の折り側１１ａ寄りに頭部２が形成されることとなる。
【００４４】
また、折り素地１１の素地長さ方向Ｙの折り側１１ａとは反対方向の反折り側１１ｃにおける素地幅方向Ｘの両角側１１ｄに、該両角側１１ｄから素地幅方向Ｘの内側を絞り基端部位Ｓ１とした四肢部領域５０に絞り糸構造としての根巻絞りを施すことにより四肢部５としての脚部５ａ（前脚部）が形成されることとなる。
【００４５】
この四肢部５として、両角側の四肢部領域５０は扇状に下絵が絵付けされる。そして、その絞り基端部位Ｓ１としての円弧側を括り糸Ｓで引き締めて根本を巻き、その後、扇の径方向Ｒ１に縦ヒダＨを形成するように扇の周方向Ｒ２に折り畳みながら先端側に向かって巻き上げる。この巻き上げの際、四肢部領域５０の素地を扇の径方向Ｒ１の中間個所Ｒ１０で二つ折りした後に、その先端側付近に未絞り状態となるシワ状の袋部５０ａを形成するように巻き上げることにより、巻き上げ個所が四肢部５の一部としての立体状の太さと長さによる膨らみを持った脚部５ａ（前脚部）となり、その先端側に立体状の膨らみを持った脚先部５ａ１が形成されることとなる。
【００４６】
また、折り素地１１の一本絞り個所との近接側において、折り素地１１の素地幅方向Ｘの両側から当該素地幅方向Ｘの内側を絞り基端部位Ｓ１とした四肢部領域５０に絞り糸構造としての根巻絞りを施すことにより四肢部５としての他の脚部５ａ（後脚部）が形成されることとなる。
【００４７】
この四肢部５としての両角側の四肢部領域５０は扇状に下絵が絵付けされる。そして、その絞り基端部位Ｓ１の円弧側を括り糸Ｓで引き締めて根本を巻き、その後、扇の径方向Ｒ１に縦ヒダＨを形成するように扇の周方向Ｒ２に折り畳みながら先端側に向かって巻き上げる。この巻き上げの際、四肢部領域５０の素地を扇の径方向Ｒ１の中間個所Ｒ１０で二つ折りした後に、その先端側付近に未絞り状態のシワ状の袋部５０ａを形成するように巻き上げることにより、巻き上げ個所が四肢部５の一部としての立体状の太さと長さによる膨らみを持った他の脚部５ａ（後脚部）となり、その先端側に立体状の膨らみを持った脚先部５ａ１が形成されることとなる。
【００４８】
また、図９に示す折り素地１１の四肢部５としての脚部５ａに近い尾部領域６０に、絞り糸構造としての根巻絞りを施すことにより尾部６が形成されることとなる。
【００４９】
この尾部６の尾部領域６０は円形状に下絵が絵付けされる。そして、その絞り基端部位Ｓ１の円側に括り糸Ｓを引き締めて根本を巻き、その後、円の径方向Ｒ１に縦ヒダＨを形成するように円の周方向Ｒ２に折り畳みながら先端側に向かって巻き上げることにより、立体状の太さと長さによる膨らみを持った尾部６が形成されることとなる。
【００５０】
また、頭部２と胴部４は、各領域としての耳部領域２０ａ、首部領域３０、四肢部領域５０、尾部領域６０以外の残余の領域に複数の粒状体７が表れるように絞り糸構造としての絞りを施す。本例では三浦絞りを施して展開素地１０の表面側に立体模様が形成されることにより胴部４及び頭部２が形成されることとなる。
【００５１】
このように展開素地１０の頭部領域２０、耳部領域２０ａ、口鼻部領域２０ｂ、首部領域３０、胴部領域４０、四肢部領域５０、尾部領域６０の各領域に各絞り加工を施した仮模擬動物体１ａが製作された後に、所定の色によって染色することにより模擬動物体１を得ることができる。なお、この模擬動物体１には、別部材であるボタンＢによって目や口が形成されている。
【００５２】
そして、図６に示すように模擬動物体１を展開状の繊維製品１００としてのショール、ストール、スカーフ、マフラー、ハンカチ、タオル等に形態変化させるには、各絞り加工（絞り緊縮処理）に使用した括り糸Ｓを除去するように糸抜きすることによって可能となる。
【００５３】
このように、括り糸Ｓを糸抜きして展開した開放された平面的展開繊維品としての図示する繊維製品１００は、口鼻部２ｂ、四肢部５、尾部６の形成個所にあっては、表面に色付個所（絞り染色部）と未色個所が散在した絞り模様を有し、かつ、多数のシワが散在する立体状のツノ状装飾部１０１が形成されることとなる。
【００５４】
また、耳部２ａの形成個所にあっては、全体が色付個所で、多数のシワによって立体状の袋状装飾部１０２が形成されることとなる。また、首部３の形成個所にあっては、表面に色付個所と未色個所が散在した絞り模様を有する立体状の縦ヒダ装飾部１０３が形成されることとなる。また、頭部２、胴部３の形成個所にあっては、色付けされた複数の粒状体７が配される形態となるものである。また、胴部３は展開素地１０を二つ折りしているため、胴部３の表側である胸と裏側である背中にも複数の粒状体による模様が表れることとなる。
【００５５】
なお、上記実施の形態は、本発明の一例であり、これに限定されなく、本発明を逸脱しない限りにおいて種々の変更が可能であり、各実施の形態の構成要素を任意に組み合わせる形で構成することも可能である。
【符号の説明】
【００５６】
１          模擬動物体（立体的絞り緊縮繊維品）
１ａ        仮模擬動物体
２          頭部
２ａ        耳部
３          首部
４          胴部
５          四肢部
５ａ        脚部
６          尾部
７          粒状体
１０        展開素地（繊維布素地）
１０ａ      両角側
２０        頭部領域
２０ａ      耳部領域
３０        首部領域
４０        胴部領域
５０        四肢部領域
６０        尾部領域
Ｌ１        所定寸法
Ｐ１        重ね合せ個所
Ｓ          括り糸
Ｓ１        絞り基端部位
Ｘ          素地幅方向
Ｘ１        山折り線
Ｙ          素地長さ方向
Ｙ１        一方側
Ｙ２        他方側
Ｗ          所定幅
【図１】
0003159666.tif 000003
【図２】
0003159666.tif 000004
【図３】
0003159666.tif 000005
【図４】
0003159666.tif 000006
【図５】
0003159666.tif 000007
【図６】
0003159666.tif 000008
【図７】
0003159666.tif 000009
【図８】
0003159666.tif 000010
【図９】
0003159666.tif 000011
【図１０】
0003159666.tif 000012
【図１１】
0003159666.tif 000013